(57)【要約】      （修正有）【課題】収納性を損なうことなく縦置状態を十分に安定させることができる加熱調理器を提供する。【解決手段】加熱調理器１００は、本体１１０、加熱板１６０、蓋体１９０および縦置支持体１９２を備える。加熱板は、本体に載置される。蓋体は、加熱板に載置される。縦置支持体は、少なくとも一つ設けられ、平面視において蓋体から加熱板の縁部１６１を跨いで少なくとも本体の縁まで延びている。そして、この加熱調理器において、縦置支持体と加熱板の縁部との間には１．０ｍｍ以下の隙間が形成されている。【選択図】図３
2013252337.tif 000002
【特許請求の範囲】
【請求項１】
本体と、
前記本体に載置される加熱板と、
前記加熱板に載置される蓋体と、
平面視において前記蓋体から前記加熱板の縁部を跨いで少なくとも前記本体の縁まで延びる少なくとも一つの縦置支持体と
を備え、
前記縦置支持体と前記加熱板の縁部との間には１．０ｍｍ以下の隙間が形成される
加熱調理器。
【請求項２】
本体と、
前記本体に載置される加熱板と、
前記加熱板に載置される蓋体と、
平面視において前記蓋体から少なくとも前記本体の縁まで延びる少なくとも一つの縦置支持体と、
前記縦置支持体を前記蓋体に固定する固定部材と
を備え、
前記固定部材による前記縦置支持体の前記蓋体への固定方向が、正面透視図または側面透視図において、前記蓋体の外表面に略垂直な方向、または、前記蓋体の外表面の略法線方向である
加熱調理器。
【請求項３】
本体と、
前記本体に載置される加熱板と、
前記加熱板に載置される蓋体と、
平面視において前記蓋体から少なくとも前記本体の縁まで延びる少なくとも一つの縦置支持体と
を備え、
前記縦置支持体は、形成方向と交差する壁部を内部に有する
加熱調理器。
【発明の詳細な説明】
【技術分野】
【０００１】
本発明は、ホットプレート等の加熱調理器に関する。
【背景技術】
【０００２】
過去に「本体ケースの一側面に脚部を設けることにより縦置収納を可能としたホットプレート」が提案されている（例えば、特開２００６−２４７４０８号公報参照）。
【先行技術文献】
【特許文献】
【０００３】
【特許文献１】特開２００６−２４７４０８号公報
【発明の概要】
【発明が解決しようとする課題】
【０００４】
ところで、ホットプレート等の加熱調理器には通常、蓋体が用意されている。このため、加熱調理器を縦置状態で十分に安定させるためには、本体ケースの高さ（縦置時は幅）を比較的大きくとる必要がある。しかし、このように本体ケースの高さを高くすると、加熱調理器の収納性が損なわれてしまう。
【０００５】
本発明の課題は、収納性を損なうことなく縦置状態を十分に安定させることができる加熱調理器を提供することにある。
【課題を解決するための手段】
【０００６】
本発明の第１局面に係る加熱調理器は、本体、加熱板、蓋体および縦置支持体を備える。加熱板は、本体に載置される。蓋体は、加熱板に載置される。縦置支持体は、少なくとも一つ設けられ、平面視において蓋体から加熱板の縁部を跨いで少なくとも本体の縁まで延びている。そして、この加熱調理器において、縦置支持体と加熱板の縁部との間には１．０ｍｍ以下の隙間が形成されている。なお、この隙間の下限は、０．２ｍｍから０．５ｍｍの範囲内であることが好ましい。
【０００７】
この加熱調理器では、蓋体に縦置支持体が設けられている。つまり、この加熱調理器は、本体および蓋体の縦置支持体により縦置状態とすることができる。したがって、この加熱調理器では、本体の高さを高くすることなく縦置時の設置幅を広げることができる。よって、この加熱調理器は、収納性を損なうことなく縦置状態を十分に安定させることができる。
【０００８】
また、この加熱調理器では、縦置支持体と加熱板の縁部との間に１．０ｍｍ以下の隙間が形成されている。このため、この加熱調理器では、縦置支持体に不測の力が加えられた場合、縦置支持体がすぐに加熱板の縁部に当接し、縦置支持体および蓋体の変形が抑制される。したがって、この加熱調理器では、縦置支持体に不測の力が加えられた場合であっても、蓋体および縦置支持体が破損しにくい。また、この加熱調理器では、調理時に蓋体を使用する場合、縦置支持体と加熱板の縁部との間に隙間が生じる。このため、この加熱調理器では、蓋体を利用した調理（例えば、蒸し焼き等）において、加熱部からの熱が縦置支持体に伝達されにくくなる。したがって、この加熱調理器では、縦置支持体の熱劣化を抑制することができる。
【０００９】
本発明の第２局面に係る加熱調理器は、本体、加熱板、蓋体、縦置支持体および固定部材を備える。加熱板は、本体に載置される。蓋体は、加熱板に載置される。縦置支持体は、少なくとも一つ設けられ、平面視において蓋体から少なくとも本体の縁まで延びている。固定部材は、縦置支持体を蓋体に固定している。そして、この加熱調理器において、固定部材による縦置支持体の蓋体への固定方向が、正面透視図または側面透視図において、蓋体の外表面に略垂直な方向、または、蓋体の外表面の略法線方向である。
【００１０】
この加熱調理器では、蓋体に縦置支持体が設けられている。つまり、この加熱調理器は、本体および蓋体の縦置支持体により縦置状態とすることができる。したがって、この加熱調理器では、本体の高さを高くすることなく縦置時の設置幅を広げることができる。よって、この加熱調理器は、収納性を損なうことなく縦置状態を十分に安定させることができる。
【００１１】
また、この加熱調理器では、固定部材による縦置支持体の蓋体への固定方向が、正面透視図または側面透視図において、蓋体の外表面に略垂直な方向、または、蓋体の外表面の略法線方向とされている。このため、この加熱調理器では、縦置支持体に上下方向から不測の力が加えられた場合であっても、縦置支持体および蓋体が破損しにくい。
【００１２】
本発明の第３局面に係る加熱調理器は、本体、加熱板、蓋体および縦置支持体を備える。加熱板は、本体に載置される。蓋体は、加熱板に載置される。縦置支持体は、少なくとも一つ設けられ、平面視において蓋体から少なくとも本体の縁まで延びている。そして、この加熱調理器において、縦置支持体は、形成方向と交差する壁部を内部に有する。なお、壁部は、蓋体の縁に近い位置に設けられることが好ましい。
【００１３】
この加熱調理器では、蓋体に縦置支持体が設けられている。つまり、この加熱調理器は、本体および蓋体の縦置支持体により縦置状態とすることができる。したがって、この加熱調理器では、本体の高さを高くすることなく縦置時の設置幅を広げることができる。よって、この加熱調理器は、収納性を損なうことなく縦置状態を十分に安定させることができる。
【００１４】
また、この加熱調理器では、縦置支持体は、形成方向と交差する壁部を内部に有する。このため、この加熱調理器では、縦置支持体が開放型の中空体（例えば、椀状体等）である場合、その強度を向上させることができると共に、縦置支持体と蓋体との間に塵や異物が侵入することを抑制することができる。
【図面の簡単な説明】
【００１５】
【図１】本発明の実施の形態に係るホットプレートの平面図である。
【図２】本発明の実施の形態に係るホットプレートの左側面図である。
【図３】本発明の実施の形態に係るホットプレートの正面図である。
【図４】図１に示されるホットプレートのＡ−Ａ断面図である。
【図５】本発明の実施の形態に係るホットプレートの蓋体の平面図である。
【図６】本発明の実施の形態に係るホットプレートの蓋体の左側面図である。
【図７】本発明の実施の形態に係るホットプレートの蓋体の裏面図である。
【図８】本発明の実施の形態に係るホットプレートの蓋体の裏側の斜視図である。
【図９】図５に示されるホットプレートの蓋体のＢ−Ｂ断面図である。
【図１０】図５に示されるホットプレートの蓋体のＣ−Ｃ断面図である。
【図１１】図５に示されるホットプレートの蓋体をＣ−Ｃ面で切断したときの蓋体の斜視図である。
【発明を実施するための形態】
【００１６】
＜本発明の実施の形態に係るホットプレートの構成＞
本発明の実施の形態に係るホットプレート１００は、縦置収納することができるホットプレートであって、図１から図４に示されるように、主に、本体１１０、平形プレート１５０、プレート枠１６０、穴開き波形プレート（図示せず）、たこ焼きプレート（図示せず）、温度調節器（図示せず）および蓋体１９０から構成される。以下、これらの構成要素について詳述する。
【００１７】
（１）本体
本体１１０は、図１から図４に示されるように、主に、本体ケース１１５、温度調節器接続部１１１、ヒータ１１２、遮熱板１１３、一対のロックレバー１１４および回動式取っ手１１６から構成される。以下、これらの構成要素について詳述する。
【００１８】
（１−１）本体ケース
本体ケース１１５は、図１から図４に示されるように、主に、ケース本体１１５ａ、脚部１１５ｂおよび本体側縦置支持体１１５ｃから構成される。ケース本体１１５ａは、上方に開口する略直方体の樹脂成形体であって、その内部に遮熱板１１３およびヒータ１１２を収容する。また、このケース本体１１５ａには、図１から図４に示されるように、正面に温度調節器接続部１１１が取り付けられ、左側面に回動式取っ手１１６が回動自在に取り付けられ、正面および背面それぞれにロックレバー１１４が回動自在に取り付けられている。脚部１１５ｂは、ケース本体１１５ａの底壁裏側四隅に配置されており、図２から図４に示されるように、ケース本体１１５ａの底壁裏側面から下方に向かって延びている。本体側縦置支持体１１５ｃは、本発明の実施の形態に係るホットプレート１００を縦置状態とするための部材であって、図１、図３および図４に示されるように、ケース本体１１５ａの右側面下部から外側に突出している。
【００１９】
（１−２）温度調節器接続部
温度調節器接続部１１１は、図３に示されるように、主に、一対の端子部１１１ａ、差込口１１１ｂおよび感熱棒挿通孔１１１ｃから構成される。一対の端子部１１１ａは、ヒータ１１２に連結されると共に、差込口１１１ｂの奥から外方に向かって延びている。なお、この温度調節器接続部１１１は、ヒータ１１２と共に、本体１１０から取り外すことができるようになっている。なお、温度調節器が温度調節器接続部１１１に接続されるとき、感熱棒挿通孔１１１ｃには、温度調節器から延びる感熱棒（図示せず）が挿通される。
【００２０】
（１−３）ヒータ
ヒータ１１２は、Ｍ字型ヒータである。なお、このヒータ１１２は、上述の通り、その両端部が温度調節器接続部１１１の端子部１１１ａに連結されている。また、このヒータ１１２は、設置状態において略水平な仮想平面に沿って配置されている。
【００２１】
（１−４）遮熱板
遮熱板１１３は、ヒータ１１２により生じる熱からテーブル等を保護する板であって、図３に示されるように、ヒータ１１２の下方に配置されている。また、この遮熱板１１３は、ヒータ１１２の輻射熱を積極的に反射する形状とされている。
【００２２】
（１−５）ロックレバー
ロックレバー１１４は、本発明の実施の形態に係るホットプレート１００を収納状態とするときに利用されるものであって、上述の通り、ケース本体１１５ａの正面および背面それぞれに回動自在に取り付けられている。このロックレバー１１４は、図２および図３において上下方向に回動することができる。また、このロックレバー１１４は、蓋体１９０の係止部１９１の爪部１９１ｂ（図５参照）に係り止めされることが可能である。
【００２３】
（１−６）回動式取っ手
回動式取っ手１１６は、使用者が本発明の実施の形態に係るホットプレート１００を縦状態（左側面が天面となる状態）にして持ち運ぶときに利用されるものであって、上述の通り、ケース本体１１５ａの左側面に回動自在に取り付けられている。この回動式取っ手１１６は、図２において上下方向に回動することができる。
【００２４】
（２）プレート類
本発明の実施の形態に係るホットプレート１００では、上述の通り、プレート類として、平形プレート１５０、プレート枠１６０、穴開き波形プレート、たこ焼きプレートが用意されている。平形プレート１５０は、通常の金属板である。プレート枠１６０は、平形プレート１５０と同じ大きさの枠体であって、内部に穴開き波形プレートおよびたこ焼きプレートを交換可能に収容する。なお、このホットプレート１００が収納状態とされるとき、図４に示されるように、平形プレート１５０の上にプレート枠１６０が載置される。穴開き波形プレートおよびたこ焼きプレートは、別部材に収納されてプレート枠１６０に載置される。
【００２５】
（３）温度調節器
温度調節器は、略直方体の部品であって、本体部（図示せず）、感熱棒（図示せず）、電源コード（図示せず）および差込プラグ（図示せず）から構成される。以下、これらの構成要素について詳述する。
【００２６】
（３−１）本体部
本体部は、主に、筐体（図示せず）、一対の端子受け部（図示せず）、電源スイッチ（図示せず）、可変抵抗器（図示せず）、ダイヤル式の温度調節ツマミ（図示せず）、インジゲータランプ（図示せず）、感熱棒接続部（図示せず）およびサーモスタット（図示せず）から構成されている。なお、端子受け部、電源スイッチ、可変抵抗器、インジゲータランプ、感熱棒接続部およびサーモスタットはいずれも筐体に収められており、温度調節ツマミは筐体の外部に露出するように設けられている。
【００２７】
端子受け部は、本体部の感熱棒側に設けられる。そして、この端子受け部には、温度調節器接続部１１１の端子部１１１ａが挿入される。なお、端子受け部に温度調節器接続部１１１の端子部１１１ａが挿入されると、ヒータ１１２が通電可能な状態となる。
【００２８】
可変抵抗器のシャフトには、温度調節ツマミが取り付けられている。そして、温度調節ツマミには温度目盛が表示されており、使用者は、温度調節ツマミを回転させて温度目盛をインジゲータに合わせることによりヒータ１１２の出力を調節する。
【００２９】
また、可変抵抗器のシャフトには筐体内においてスイッチ片が取り付けられており、使用者が温度調節ツマミを少し回したところで電源が入ると共にインジゲータランプが点灯するようになっている。
【００３０】
感熱棒接続部には、感熱棒が接続されている。感熱棒接続部は、サーモスタットに通信接続されており、感熱棒から送信される温度検知信号をサーモスタットに定期的に送信する。
【００３１】
サーモスタットは、感熱棒により検知される温度（以下「検知温度」という）が温度調節ツマミの温度目盛に対応する温度（以下「設定温度」という）に達すると電源スイッチをオフにすると共にインジゲータランプを消灯し、検知温度が設定温度を下回ると再び電源スイッチをオンにすると共にインジゲータランプを点灯させる。
【００３２】
（３−２）感熱棒
感熱棒は、いわゆるサーミスタであって、本体部から突出している。なお、温度調節器が温度調節器接続部１１１に差し込まれた状態では、感熱棒の先端はプレート類の下に位置する。
【００３３】
（３−３）電源コードおよび差込プラグ
電源コードは、本体部から延びている。そして、その電源コードの先端には、外部電源接続用の差込プラグが取り付けられている。
【００３４】
（４）蓋体
蓋体１９０は、図５から図１１に示されるように、主に、本体１９５、一対の係止部１９１、蓋体側縦置支持体１９２および取っ手１９３から構成される。
【００３５】
本体１９５は、平面視において略矩形を呈する鋼板等の金属製の板材であって、図６に示されるように側面視において長さ方向の両端側に向かうに従って下方に湾曲し、図９および図１０に示されるように正面視および背面視において幅方向の両端側に向かうに従って下方に湾曲している。また、この本体１９５の中心部１９４は、図９および図１０に示されるように、窪まされている。
【００３６】
係止部１９１は、図５に示されるように、主に、本体部１９１ａおよび爪部１９１ｂから構成されており、本体１９５の正面側部分および背面側部分に配設されている。なお、本体部１９１ａおよび爪部１９１ｂは、一体成形されている。また、本体部１９１ａは、図７に示されるように、本体１９５の裏側から当板１９６を介してビス１９６ａにより本体１９５に固定されている。また、本体部１９１ａは、平面視において、爪部１９１ｂが本体１９５の縁の外に位置するように位置決めされている。
【００３７】
蓋体側縦置支持体１９２は、図５から図１１に示されるように、主に、外殻部１９２ａ、縦方向リブ１９２ｂ、横方向リブ１９２ｃおよびビス取付部１９２ｄから構成されており、本体１９５の右側面側部分に配設されている。また、この蓋体側縦置支持体１９２は、図１に示されるように、蓋体１９０がプレート枠１６０に載置された状態であるとき、平面視において蓋体１９０からプレート枠１６０の囲い壁部１６１を跨いで本体ケース１１５の外まで延びている。なお、外殻部１９２ａ、縦方向リブ１９２ｂ、横方向リブ１９２ｃおよびビス取付部１９２ｄは、一体成形されている。また、この蓋体側縦置支持体１９２は、本体１９５の裏側から当板１９７を介してビス取付部１９２ｄにビス１９７ａをねじり込むことによって本体１９５に固定されている。なお、ビス１９７ａは、図９および図１０に示されるように、縦断面図（または正面透視図）において、本体１９５の接線方向Ｌｔに直交する方向、すなわち法線方向Ｌｆに沿ってねじ込まれている。
【００３８】
外殻部１９２ａは、図８に示されるように、下方が開口する樹脂成形体であって、載置面Ｐｖを有する。載置面Ｐｖは、ホットプレート１００を安定して縦置きするのに十分な面積を有する。縦方向リブ１９２ｂは、図６から図７に示されるように、ビス取付部１９２ｄから載置面Ｐｖに向かって延びている。なお、図４に示されるように、中央の縦方向リブ１９２ｂは、蓋体１９０がプレート枠１６０に載置された状態においてプレート枠１６０との間（より詳細には、プレート枠１６０の囲い壁部１６１の上端との間）に０．３ｍｍの隙間が生じるように、設計されている。なお、この縦方向リブ１９２ｂは、蓋体１９０が平形プレート１５０に載置された状態においても、平形プレート１５０との間（より詳細には、平形プレート１５０の囲い壁部１５１の上端との間）に同隙間が生じる。横方向リブ１９２ｃは、外殻部１９２ａの一方の側面から他方の側面に向かって延びるリブであって、本体１９５の縁の内側近傍に位置している。
【００３９】
取っ手１９３は、図６から図１０に示されるように、本体１９５の中心部１９４に配設されている。この取っ手１９３は、図７に示されるように、本体１９５の裏側からビス１９３ａにより本体１９５に固定されている。
【００４０】
＜本発明の実施の形態に係るホットプレートの収納方法＞
本発明の実施の形態に係るホットプレートは、以下の通りにして収納状態とされる。
先ず、本体１１０に平形プレート１５０が載置される。なお、かかる場合、平形プレート１５０に穴開き波形プレートか、たこ焼きプレートが収容されていてもよい。
【００４１】
次に、平形プレート１５０にプレート枠１６０が載置される。なお、かかる場合、プレート枠１６０に穴開き波形プレートか、たこ焼きプレートが嵌め込まれていてもよいし、そのプレート上に残りのプレートが載置されていてもよい。
【００４２】
そして、プレート枠１６０に蓋体１９０が載置された後、両方のロックレバー１１４が持ち上げられ、ロックレバー１１４が蓋体１９０の係止部１９１の爪部１９１ｂに係止される。このとき、本体１１０、平形プレート１５０、プレート枠１６０および蓋体１９０が一体化される。そして、使用者は、回動式取っ手１１６を把持してホットプレート１００を立て、その状態でホットプレート１００を収容場所に収容する。
【００４３】
＜本発明の第１実施形態に係るホットプレートの特徴＞
（１）
本発明の実施の形態に係るホットプレート１００では、本体１１０および蓋体１９０に縦置支持体１１５ｃ，１９２が設けられている。そして、このホットプレート１００は、縦置支持体１１５ｃ，１９２により縦置状態とすることができる。したがって、このホットプレート１００では、本体１１０の高さを高くすることなく縦置時の設置幅を広げることができる。よって、このホットプレート１００は、収納性を損なうことなく縦置状態を十分に安定させることができる。
【００４４】
（２）
本発明の実施の形態に係るホットプレート１００では、蓋体１９０がプレート枠１６０または平形プレート１５０に載置された状態において、蓋体側縦置支持体１９２とプレート枠１６０または平形プレート１５０との間（より詳細には、蓋体側縦置支持体１９２の下端とプレート枠１６０の囲い壁部１６１の上端または平形プレート１５０の囲い壁部１５１の上端との間）に０．３ｍｍの隙間が生じる。このため、このホットプレート１００では、蓋体側縦置支持体１９２に不測の力が加えられた場合、蓋体側縦置支持体１９２がすぐにプレート枠１６０または平形プレート１５０の囲い壁部１５１，１６１に当接し、蓋体側縦置支持体１９２および本体１９５の変形が抑制される。したがって、このホットプレート１００では、蓋体側縦置支持体１９２に不測の力が加えられた場合であっても、本体１９５および蓋体側縦置支持体１９２が破損しにくい。また、このホットプレート１００では、調理時に蓋体１９０を使用する場合、蓋体側縦置支持体１９２とプレート枠１６０または平形プレート１５０の囲い壁部１５１，１６１との間に隙間が生じる。このため、このホットプレート１００では、蓋体１９０を利用した調理（例えば、蒸し焼き等）において、ヒータ１１２からの熱が蓋体側縦置支持体１９２に伝達されにくくなる。したがって、このホットプレート１００では、蓋体側縦置支持体１９２の熱劣化を抑制することができる。
【００４５】
（３）
本発明の実施の形態に係るホットプレート１００では、蓋体側縦置支持体１９２がビス１９７ａにより固定されており、その固定方向が、縦断面図（または正面透視図）において、法線方向Ｌｆとされている。このため、このホットプレート１００では、蓋体側縦置支持体１９２に上下方向から不測の力が加えられた場合であっても、蓋体側縦置支持体１９２および蓋体１９０が破損しにくい。
【００４６】
（４）
本発明の実施の形態に係るホットプレート１００では、蓋体側縦置支持体１９２に横方向リブ１９２ｃが形成されており、この横方向リブ１９２ｃが蓋体１９０の本体１９５の縁の内側近傍に位置している。このため、このホットプレート１００では、蓋体側縦置支持体１９２の強度を向上させることができると共に、蓋体側縦置支持体１９２と蓋体１９０との間に塵や異物が侵入することを抑制することができる。
【００４７】
＜変形例＞
（Ａ）
先の実施の形態に係るホットプレート１００では、蓋体１９０がプレート枠１６０に載置された状態においてプレート枠１６０との間に０．３ｍｍの隙間が生じるように、中央の縦方向リブ１９２ｂが設計されていたが、中央の縦方向リブ１９２ｂは、蓋体１９０がプレート枠１６０に載置された状態においてプレート枠１６０との間に１．０ｍｍ以下の隙間が生じるように、設計されればよい。
【００４８】
（Ｂ）
先の実施の形態に係るホットプレート１００では、蓋体１９０の本体１９５に対する蓋体側縦置支持体１９２の固定方向（ビス１９７ａのねじり込み方向）が法線方向Ｌｆとされていたが、蓋体１９０の縦断面図（または正面透視図）において本体１９５の蓋体側縦置支持体取付位置が斜面となっている場合、蓋体側縦置支持体１９２の固定方向は、その斜面に略垂直な方向とされる。
【００４９】
（Ｃ）
先の実施の形態に係るホットプレート１００では、本体ケース１１５に本体側縦置支持体１１５ｃが設けられたが、本体側縦置支持体１１５ｃは省略されてもよい。なお、かかる場合、本体ケース１１５の右側面をできるだけ平らにし、その右側面と蓋体側縦置支持体１９２の載置面Ｐｖとの面位置をできるだけ一致させるようにすれば、ホットプレート１００の縦置状態を十分に安定させることができる。
【００５０】
（Ｄ）
先の実施の形態に係るホットプレート１００では、蓋体側縦置支持体１９２の載置面Ｐｖが湾曲面とされていたが、同載置面は平面であってもよい。
【符号の説明】
【００５１】
１００      ホットプレート（加熱調理器）
１１０      本体
１５０      平形プレート（加熱板）
１６０      プレート枠（加熱板）
１６１      囲い壁部（縁部）
１９０      蓋体
１９２      蓋体側縦置支持体（縦置支持体）
１９２ｃ    横方向リブ（壁部）
１９７ａ    ビス（固定部材）
Ｌｆ        法線方向
【図１】
2013252337.tif 000003
【図２】
2013252337.tif 000004
【図３】
2013252337.tif 000005
【図４】
2013252337.tif 000006
【図５】
2013252337.tif 000007
【図６】
2013252337.tif 000008
【図７】
2013252337.tif 000009
【図８】
2013252337.tif 000010
【図９】
2013252337.tif 000011
【図１０】
2013252337.tif 000012
【図１１】
2013252337.tif 000013